(57)【特許請求の範囲】
【請求項１】
ガラス焼きなまし炉ハウジング内部に収容されたローラーコンベヤ、及び前記ローラーコンベヤの送り方向に対して横方向に列状に上方及び下方に２台一組で配置された加熱装置（２）、並びに位置依存的方式で測定する実温度値測定器具（３）及び所定の所望温度値設定器具（４）とを備える加熱制御装置（５）、を備える平板ガラス用ローラー装備型ガラス焼きなまし炉であって、
前記実温度値測定器具（３）、所望温度値設定器具（４）及び加熱制御装置（５）は、フィードバック制御装置（３，４，５）を形成しており、
このフィードバック制御装置（３，４，５）は、
前記列の特定の位置に位置する少なくとも１組の加熱装置（２）に対して、前記列中の別の位置において測定された少なくとも１つの実温度値とその別の位置の所定の所望値に基づいて算出された加熱出力の所定部を、前記位置領域に必要な温度配分のために必要とされる加熱制御装置の加熱出力とするよう制御することを特徴とする前記ローラー装備型ガラス焼きなまし炉。
【請求項２】
一つのみの実温度値（３）を用いる一つのみの加熱制御装置（５）が１列中に位置するすべての加熱装置（２）用として設けられていること、及び、フィードバック制御装置（３，４，５）は、前記列の加熱装置（２）の加熱出力の総計を算出し、そしてかつこの総計の一定部分が前記列の各加熱装置（２）のための加熱出力となるように構成されることを特徴とする請求項１項記載のローラー装備型ガラス焼きなまし炉。
【請求項３】
第一のサブルーチンにおいて、加熱制御装置（５）によって第一の設定ファクター（ｆ１〜ｆ５）を用いてローラーコンベヤ上方に位置する加熱装置（２）のための加熱出力の各部分が計算されてこの計算値が制御量として設定され、及び第二のサブルーチンにおいて、加熱制御装置（５）によって第二の設定ファクター（ｆ６〜ｆ１０）を用いてローラーコンベヤ下方に位置する加熱装置（２）のための加熱出力の各部分が計算及び設定されることを特徴とする請求項２項記載のローラー装備型ガラス焼きなまし炉。
【請求項４】
前記実温度値測定器具（３）に測定された実温度が前記列の中央に位置する加熱装置（２）と連携されることを特徴とする請求項２または３記載のローラー装備型ガラス焼きなまし炉。
【請求項５】
１列中に配置された加熱装置（２）に対して、測定された実温度値のそれぞれが関係する少なくとも２つの制御をフィードバック制御装置（３，４，５）がなすことを特徴とする請求項１項記載のローラー装備型ガラス焼きなまし炉。
【請求項６】
実温度値測定器具（３）が、中央の加熱装置（２：Ｂｃ）と両側の加熱装置（２：Ｂａ，Ｂｅ）にそれぞれ用意されると共に、測定された実温度値がそれぞれ関係する３つの制御が用意され、１つの制御は中央加熱装置（２：Ｂｃ）と連携し、前記中央において測定された実温度値が連携され、他の２つの制御は両側部分にある各加熱装置（２：Ｂａ，Ｂｅ）と連携し、これら制御に各両側領域において測定されたそれぞれの実温度値が連携されることを特徴とする請求項５項記載のローラー装備型ガラス焼きなまし炉。
【請求項７】
前記フィードバック装置（３，４，５）による各加熱装置（２）のための加熱出力の計算は、連続的に位置しない加熱装置（２）のためのものと、それら連続的に位置しない加熱装置（２）の内の隣り合った加熱装置（２）の中間に位置する加熱装置（２）のためのものとの２通りからなり、前者は直接的に計算されるもの（Ｐ１，Ｐ３，Ｐ５）であり、後者は中間に位置する加熱装置（２）に隣り合う加熱装置（２）の計算値（Ｐ１，Ｐ３，Ｐ５）の規定された割合（ｆ１Ｐ１，ｆ２Ｐ３，ｆ４Ｐ３，ｆ５Ｐ５）の和（ｆ１Ｐ１＋ｆ２Ｐ３，ｆ４Ｐ３＋ｆ５Ｐ５）であることを特徴とする請求項５または６記載のローラー装備型ガラス焼きなまし炉。
【請求項８】
ローラーコンベヤの上方及び下方に位置する加熱装置に対して同様な別個の制御が行われることを特徴とする請求項３又は請求項７項記載のローラー装備型ガラス焼きなまし炉。
【請求項９】
送り方向に次々と位置する加熱装置（２）のすべての列に対して同様な構成が採用されることを特徴とする請求項２〜８のいずれかに記載のローラー装備型ガラス焼きなまし炉。
【請求項１０】
静止方式で取り付けられる熱電対として構成された実温度値測定器具（３）が実温度値の位置依存的検出のために設けられることを特徴とする請求項１〜９のいずれかに記載のローラー装備型ガラス焼きなまし炉。
【請求項１１】
静止方式で取り付けられる高温計として構成された実温度値測定器具（３）が実温度値の位置依存的検出のために設けられることを特徴とする請求項１〜９のいずれかに記載のローラー装備型ガラス焼きなまし炉。
【請求項１２】
前記実温度値測定器具（３）が、送り方向に対して横方向に移動され、かつ移動中に次々と局部温度を検出する高温計として構成されることを特徴とする請求項１〜９のいずれかに記載のローラー装備型ガラス焼きなまし炉。
【請求項１３】
前記実温度値測定器具（３）が送り方向に対して横方向に走査を行い、かつ移動中に次々と局部温度を検出する高温計として構成されることを特徴とする請求項１〜９のいずれかに記載のローラー装備型ガラス焼きなまし炉。
【請求項１４】
前記実温度値測定器具（３）に、それぞれの位置領域における検出温度表示の平均値を算出することによって位置依存的実温度値を設定する求値段階が含まれることを特徴とする請求項１２または１３記載のローラー装備型ガラス焼きなまし炉。
【請求項１５】
前記加熱制御装置（５）は、ある１列について算出された各加熱装置（２）の加熱出力の規定された割合を、その１列の後方に位置する少なくとも１列の各加熱装置（２）の加熱出力とすることを特徴とする請求項２〜１４のいずれかに記載のローラー装備型ガラス焼きなまし炉。
【請求項１６】
厚さ１．２ｍｍの平板ガラスを搬送するローラーコンベヤを備えることを特徴とする請求項１〜１５のいずれかに記載のローラー装備型ガラス焼きなまし炉。
【請求項１７】
厚さ０．８ｍｍの平板ガラスを搬送するローラーコンベヤを備えることを特徴とする請求項１〜１５のいずれかに記載のローラー装備型ガラス焼きなまし炉。
【請求項１８】
平板ガラスは連続状のガラスリボンであることを特徴とする請求項１〜１７のいずれかに記載のローラー装備型ガラス焼きなまし炉。
【発明の詳細な説明】
【技術分野】
【０００１】
本発明は、ガラス焼きなまし炉ハウジング内部にローラーコンベヤ、及び該ローラーコンベヤの上方及び下方へ２台一組で列状に次々と送り方向に対して横方向へ延びるように配置された加熱装置、及び、位置依存方式で測定される実温度値及び所望の温度配分を設定するための所定の適合所望値を与える温度制御装置とを備える平板ガラス用ローラー装備型ガラス焼きなまし炉に関する。
【背景技術】
【０００２】
各ガラス製品の熱成形温度と周辺温度間の温度差がガラス製品の緩和下に克服されるローラー装備型ガラス焼きなまし炉は、ガラス工業において広範に使用されている。例えば、フロート法を用いて製造される薄平板ガラスは、フロート浴中における成形後、連続状ガラスリボンの形状でローラー装備型ガラス焼きなまし炉中を通過する。
【０００３】
次いでガラスリボンは冷却され、製品ごとの特定方法を用いて緩和された平板ガラスへと加工される。例えばフロートガラスの場合では、ガラスリボンは切断されて従来型の矩形ガラス板へと加工される。
【０００４】
ローラー装備型ガラス焼きなまし炉には、典型例として、平板ガラスのための入口開口部及び出口開口部を有するガラス焼きなまし炉ハウジングと、該ハウジング内に収容されて、特にガラスリボン形状に形状化された平板ガラスをガラス焼きなまし炉を通して搬送することが可能なモーター駆動型ローラーコンベヤが備えられている。このローラーコンベヤには平行状に次々と配置された多数のローラーが備えられている。
【０００５】
例えば、各ローラーを主モーターによってウォーム歯車装置を介して駆動させたり、及び隣接ローラーを２つの自由継手形状の関節シャフトを介して互いに連結することが可能である。
【０００６】
また、各ローラーあるいはローラーの各組を別個の駆動装置と連携させてローラー装備型ガラス焼きなまし炉の連携ゾーン内においてガラス製品を異なる速度で搬送することも可能である。
【０００７】
ローラー装備型ガラス焼きなまし炉にはさらに多数の加熱装置が備えられており、この加熱装置の単位面積当りの出力はローラー装備型ガラス焼きなまし炉中へ平板ガラスが入ってから該ローラー装備型ガラス焼きなまし炉から前記平板ガラスが出てくるまで連続的に減少する。これら加熱装置は、概して平板ガラスの上面を加熱するためガラス焼きなまし炉上部側と、平板ガラスの下面を加熱するため該ガラス焼きなまし炉下部側の双方へ配置される。
【０００８】
冷却された平板ガラス中に生ずる機械的応力はローラー装備型ガラス焼きなまし炉中の温度配分に殆ど依存している。それゆえ、ローラー装備型ガラス焼きなまし炉中において送り方向に対して平行かつ横方向の有利な温度配分を設定するために、平板ガラス、すなわちフロートガラスリボンのそれぞれにとって有利な方式で、送り方向に対して平行かつ横方向に配置された加熱装置を個別に制御することが可能である。高品質ガラスに関して、平板ガラスの移動方向に対して横方向、すなわちガラスリボンの正味部分における一端から他端へ至る温度配分が可能な限り均質であることが特に重要である。
【０００９】
ガラス焼きなまし炉中の温度配分は平板ガラスに沿って移動する熱と加熱装置の加熱出力によって生ずる結果である。前記加熱出力は、所定の所望温度配分と測定された実温度配分との差を求めて制御する加熱出力制御装置によって通常制御される。そのため、例えば熱電対あるいは高温計等の温度測定器具がガラスリボンの上方及び下方に配置される。
【００１０】
ＥＰ１４９１５０９Ａ１には、送り方向に対して横方向に、かつ平板ガラスの幅に亘って覆うように平板ガラスの上方及び下方に配置された電気抵抗加熱片を備える上述したようなガラス焼きなまし炉が開示されている。さらにこの引例では、加熱は約６５０℃の熱圧縮空気を用い、平板ガラスの幅上方に延び、かつ互いに所定間隔を空けて離れるように設けられた出口開口部をもつチューブを用いて実施されている。前記抵抗片に沿って５個の熱電対が等間隔を空けて設けられ、これら熱電対の出力信号が実温度配分を測定するために調整制御装置へ供出され、この調整制御装置には所定の温度配分が保存され、また調整制御装置の出力は前記抵抗片の出力及び熱圧縮空気用ブロワーへ接続されている。
【００１１】
特定の加熱出力分布を用いて、平板ガラスの加熱開始時に典型的に起こるガラスエッヂ部分の陥没を防止する方法が既知である。そのため、平板ガラスがガラス焼きなまし炉へ入ると同時に、熱電対の表示とは無関係に上方抵抗片の抵抗が所定の温度配分に従う制御方式がとられ、他方下方抵抗片の抵抗は熱電対の実数値表示に基づいた位置依存的制御方式で設定される。典型的な制御温度配分においては、制御装置から平板ガラスリボンの中央部分にある上方抵抗加熱装置へ電力の１００％が供給され、他方エッヂ部分にある加熱セグメントへより低量の電力が供給される。対応的に付加的熱圧縮空気用ブロワーの空気流が加熱初期において最大で作動された後、該加熱の残余期間に亘って加熱は減じられる。
【００１２】
前記加熱後、局部的に測定された実温度表示と所定の所望表示間の差異に従って、加熱片の抵抗へ個別に電気エネルギーが供給される。
【００１３】
ＵＳ６２０４４８３Ｂ１には、実温度配分を検出するための多数の熱電対を静止状態で配置する代わりに、送り方向に対して横方向に移動され局部温度を逐次検出する温度測定器具が１個だけ特に送り方向に対して横方向に設けられた類似のガラス焼きなまし炉が開示されている。ここで列状に配置された赤外線エミッタ形状の加熱装置は、同様に局部温度条件に基づいて個別に制御されている。
【００１４】
各加熱装置のすべてそれぞれが局部的実数値（現実の値）である一つの温度測定表示と連携されるならば、このような加熱出力制御の従来的な実施態様は、ガラス焼きなまし炉の平板ガラス（ガラスリボン）中に利用可能な温度配分が引っ張り方向に対して平行に得られる。
【００１５】
しかしながら、ガラス焼きなまし炉の加熱装置のすべてにそれが用いられた場合、実温度の絶対値の測定精度に対して引っ張り方向に対して横方向あるいは「上部から下部まで」の温度差が低ければ、平板ガラス(ガラスリボン)中に引っ張り方向に対して横方向の不利な温度配分がひき起こされ、さらにそれに続いて、劣悪な製造結果が齎される。そのような場合には、一部の加熱装置から大量の熱が放出される可能性があり、同時にそれら加熱装置に隣接して、あるいはそれら装置の上方あるいは下方に配置された他の加熱装置からは少量の熱が放出されるか、あるいは熱の放出が全く起こらない場合もある。このような熱の放出は、通常検出された温度信号間の温度差が温度測定器具の精度より小さい場合に起こる。
【発明の開示】
【発明が解決しようとする課題】
【００１６】
本発明は、熱制御に関して所望の温度配分が長期間に亘って得られる当初に述べた形式のガラス焼きなまし炉を提供することを目的とする。
【課題を解決するための手段】
【００１７】
前記目的は、本発明に従って、ガラス焼きなまし炉ハウジング内部に収容されたローラーコンベヤと、該ローラーコンベヤの上方及び下方へ送り方向に対して横方向に列状に配置された加熱装置、及び位置依存的方式で測定される実温度値測定器具及び所定の所望温度値を与える設定器具とを備える加熱制御装置を備える平板ガラス用ローラー装備型ガラス焼きなまし炉において、前記列中の特定位置に位置する少なくとも一組の加熱装置に対して、前記列の別の位置において測定された少なくとも１つの実温度値に基づいて算出された加熱出力の所定部を前記位置領域に必要な温度配分のために必要とされる加熱出力とする制御量を設定するフィードバック制御装置を設けることによって達成される。
【００１８】
本発明に従って採られる工程によれば、ローラー装備型ガラス焼きなまし炉、従って搬送される平板ガラスにおいて、所望の温度配分を長期間持続して達成し、かつそれに応じた有利な製造結果を得ることが可能である。
【００１９】
本発明の実施態様及び変形例は、従属請求項において、さらに図面に関する記載において開示されている。
【発明を実施するための最良の形態】
【００２０】
以下において、図面に示された実施態様を用いて本発明についてより詳細に説明する。
【００２１】
図１は、ガラス焼きなまし炉中を矢印で示す方向へ搬送されるガラスリボン１を、ガラスリボンの上方及び下方に次々と列状に配置された符号Ａａ〜Ｄｅで示すガラス焼きなまし炉用の従来型ヒーター２に形状化された加熱装置と共に概略的に示した図である。このガラスリボンの厚さは通常１．２ｍｍであるが、好ましくは０．８ｍｍである。
【００２２】
通常ヒーター２は、温度測定に基づいて、加熱出力用のフィードバックループによって調整される。かかる調整のため、温度測定器具３、例えば熱電対あるいは高温計がガラスリボン１の上方及び下方に配置される。これらの温度測定器具３は図１において中実の黒丸で表象的に示されている。これら温度測定器具は連携フィードバックループの実数値生成装置である。
【００２３】
従来配置型の熱出力制御では、各ヒーター２は実数値生成装置として正に１個のみの温度測定器具３と連携される。各加熱出力は、符号Ａａ〜Ａｅで示されるヒーター２を表した図１に示されるように、連携温度測定器具３によって測定される実温度及び所定の所望温度から算出される。このような実施態様はガラスリボンの移動方向に対して横方向の温度配分が可能な限り均質であることにとって重要である高品質ガラスに要求される要件を満たす。
【００２４】
上述した実施態様がローラー装備型ガラス焼きなまし炉のすべてのヒーター２に用いられる場合、例えば符号Ａｃ−Ｂｃ−Ｃｃで示されるヒーター２によって示されるように引っ張り方向に平行なガラスリボン中に使用可能な温度配分が実際に生成されるが、他方前記実施態様が、例えば符号Ａａ−Ａｂ−Ａｃ−Ａｄ−Ａｅで示されるヒーター２のように引っ張り方向に対して横方向にあるローラー装備型ガラス焼きなまし炉中のすべてのヒーター２に用いられる場合であって、引っ張り方向に対して横方向、すなわち列中あるいは上部から底部に至る温度差が実温度絶対値の測定精度に対して小さい場合には、しばしばガラスリボン中に不利な温度配分がひき起こされ、さらにその後における製造結果の劣悪化がひき起こされる。そのような場合、一部のヒーター２から大量の熱放出が起こり、他方それらヒーターに隣接しあるいはそれらの上方及び下方にある他のヒーターから少量の熱放出が起こる可能性があるか、又は、熱放出が全く起こらない場合もある。対応試験において、以下に示すような生成加熱出力分布を符号Ａａ〜Ａｅで示すヒーター２について測定することになる。
【００２５】
所望温度
上部［℃］ ６７５     ６８０     ６８０     ６８０     ６７５
底部［℃］ ６７５     ６８０     ６８０     ６８０     ６７５
【００２６】
温度測定
上部［℃］ 675.0           679.7     679.9     680.3     673.4
底部［℃］ 674.6           680.2     678.7     679.9     681.9
【００２７】
加熱出力       Ａａ       Ａｂ       Ａｃ       Ａｄ       Ａｅ
上部［ｋＷ］    ８．７     ６．２     ９．３     ０．３     ２７．４
底部［ｋＷ］    ２３．１   １８．０   ０．４     １７．０   ０．３
【００２８】
しかしながら、このようにヒーター２における加熱出力が異なると、薄ガラスリボン１中に異なる実（未測定）温度が生じ、これによってひき起こされる直線的膨張作用によって、ガラスリボン中に機械的応力が生成され、この応力は切断後もガラス板中に部分的に残存する。
【００２９】
本発明に従った工程を経ることにより、ローラー装備型ガラス焼きなまし炉中、従って搬送されるガラスリボン中においても、長期間に亘って所望の温度配分を得ることができ、それに応じて有利な製造結果を得ることが可能である。
【００３０】
本発明に従った工程を実施するためには一連の実施態様が考えられるが、これら実施態様についてまず以下に記載された基本的な実施例を用いて説明する。
【実施例１】
【００３１】
図１に示された実施例では、送り方向に対して横方向の列中のローラーコンベヤの上方（上部）及び下方（底部）に隣接ヒーター２、例えばこの実施例では符号Ｃａ−Ｃｂ−Ｃｃ−Ｃｄ−Ｃｅで表されるヒーター２、すなわちヒーターＣｃに１個だけ温度測定器具を備えるヒーター群が配置されている。これらのヒーターは、一つの共有フィードバックループと連携している。そしてこの共有フィードバックループは、図２に従った制御図を有し、実数値生成装置として単一の温度測定器具３を有し、装置オペレーターが所定の所望数値に設定する所望数値生成装置４を有し、さらにガラスリボンの関係領域において所望の温度配分を得るために必要とされ、かつ装置オペレーターによって設定される数ｆ１〜ｆ１０を特徴づける前記ヒーター２の加熱出力の総計Ｐｓｕｍを算出し、さらに個々のヒーターのための制御量Ｐｃａ−Ｐｃｅを、ローラーコンベヤ上方に位置する上部ヒーター２及びローラーコンベヤ下方に位置する底部ヒーター２双方に対して、加熱出力Ｐｓｕｍの総計の一定部分として設定する制御装置５を有している。
【００３２】
前記数ｆ１〜ｆ５は上部ヒーター２についての引っ張り方向に対して横方向の比例出力分布Ｐを示す。全加熱出力はこれら５個のヒーターへ下記式に従って分配される。
ＰＣａｔｏｐ＝ｆ１Ｐｓｕｍ／（ｆ１＋ｆ２＋ｆ３＋ｆ４＋ｆ５）
ＰＣｂｔｏｐ＝ｆ２Ｐｓｕｍ／（ｆ１＋ｆ２＋ｆ３＋ｆ４＋ｆ５）
ＰＣｃｔｏｐ＝ｆ３Ｐｓｕｍ／（ｆ１＋ｆ２＋ｆ３＋ｆ４＋ｆ５）
ＰＣｄｔｏｐ＝ｆ４Ｐｓｕｍ／（ｆ１＋ｆ２＋ｆ３＋ｆ４＋ｆ５）
ＰＣｅｔｏｐ＝ｆ５Ｐｓｕｍ／（ｆ１＋ｆ２＋ｆ３＋ｆ４＋ｆ５）
【００３３】
ファクターｆ６〜ｆ１０は底部／上部出力比を示す（底部及び上部加熱出力が等しければ数値は１である）。
ＰＣａｂｏｔｔｏｍ＝ｆ６ＰＣａｔｏｐ
ＰＣｂｂｏｔｔｏｍ＝ｆ７ＰＣｂｔｏｐ
ＰＣｃｂｏｔｔｏｍ＝ｆ８ＰＣｃｔｏｐ
ＰＣｄｂｏｔｔｏｍ＝ｆ９ＰＣｄｔｏｐ
ＰＣｅｂｏｔｔｏｍ＝ｆ１０ＰＣｅｔｏｐ
【００３４】
本試験において、本実施例により下記に示す具体的加熱出力分布が得られた。
【００３５】
所望温度
上部［℃］     −−       −−       ６００     −−       −−
底部［℃］     −−       −−       −−       −−       −−
【００３６】
温度測定
上部［℃］     591.3     597.1     599.9     596.1     593.1
底部［℃］     571.0     578.1     581.0     578.4     574.6
【００３７】
加熱出力       Ｃａ       Ｃｂ       Ｃｃ       Ｃｄ       Ｃｅ
上部［ｋＷ］    ６．７     ６．３     ６．７     ６．３     ６．７
底部［ｋＷ］    ６．７     ６．３     ６．７     ６．３     ６．７
【００３８】
測定された温度配分は設定温度配分と一致した。
【００３９】
上記原理は、送り方向に対して横方向に位置するヒーター２のいずれの列に対しても実質的に利用可能である。
【実施例２】
【００４０】
前記実施例１の基本概念を拡大することにより、別の実施態様、すなわち連携状態にある制御装置によって、ガラスリボン１の中央部分における実温度及びガラスリボン１の２つのエッヂ部分における実温度に基づき、横方向の列にある隣接ヒーター２について加熱出力を算出する実施態様を構成することが可能である。
【００４１】
本実施例では、一例として、符号Ｂａ−Ｂｂ−Ｂｃ−Ｂｄ−Ｂｅで示したヒーターが用いられ、ヒーターＢａ、Ｂｃ及びＢｅ中には温度測定器具３が備えられる。ヒーターＢａ、Ｂｃ及びＢｅの位置において測定された実温度に基づき、及び、それぞれの所望温度に基づいて、ヒーターＢａ、Ｂｃ及びＢｅの加熱出力は連携状態にある制御装置によって算出される。
【００４２】
図３は、図２の制御図に類似する形状に具現化された連携制御図を示す図である。３台の実数値生成装置３によって３つの温度が実数値として測定される。３台の所望数値生成装置４において、装置オペレーターによって３つの連携所望温度と該所望温度配分に従った１０個のファクターｆ１〜ｆ１０が設定される。制御装置５によってまず中間値Ｐ１、Ｐ２、Ｐ３が決定され、これら中間値に基づいてローラーコンベヤ上方に位置するヒーター２（Ｂａ〜Ｂｅ）への個々の出力Ｐｔｏｐが下記式に従って決定される。
ＰＢａｔｏｐ＝Ｐ１
ＰＢｂｔｏｐ＝ｆ１Ｐ１＋ｆ２Ｐ３
ＰＢｃｔｏｐ＝Ｐ３
ＰＢｄｔｏｐ＝ｆ４Ｐ３＋ｆ５Ｐ５
ＰＢｅｔｏｐ＝Ｐ５
【００４３】
ファクターｆ６〜ｆ１０は底部／上部出力比を示す（底部及び上部加熱出力が等しければ数値は１である）。
ＰＢａｂｏｔｔｏｍ＝ｆ６ＰＢａｔｏｐ
ＰＢｂｂｏｔｔｏｍ＝ｆ７ＰＢｂｔｏｐ
ＰＢｃｂｏｔｔｏｍ＝ｆ８ＰＢｃｔｏｐ
ＰＢｄｂｏｔｔｏｍ＝ｆ９ＰＢｄｔｏｐ
ＰＢｅｂｏｔｔｏｍ＝ｆ１０ＰＢｅｔｏｐ
【００４４】
かかる構成により、フィードバックループ及び実数値生成装置３を備えるヒーターＢａ、Ｂｃ、Ｂｅの部分出力は各フィードバックループにおいて決定される中間値Ｐ１、Ｐ３、Ｐ５に一致し、他方実数値生成装置を備えないヒーターＢｂ及びＢｄの部分出力は隣接ヒーターについての前記中間値から比例計算される。従ってヒーターＢｂについての加熱出力はヒーターＢａ及びＢｃの加熱出力に基づいて一定の比率（ｆ１、ｆ２）において算出される。また同様に、ヒーターＢｄについての加熱出力はヒーターＢｃ及びＢｅの加熱出力に基づいて一定の比率（ｆ４、ｆ５）において算出され、フィードバックループ中の対応制御量によって調整される。従って、以下の試験結果が示すように、このような生成加熱出力分布によって、加熱出力Ｂａ、Ｂｂ及びＢｃ、あるいは加熱出力Ｂｃ、Ｂｄ及びＢｅ間に望ましくない差が生じることを防止することが可能である。
【００４５】
所望温度
上部［℃］     ７１１     −−       ７１２     −−       ７０９
底部［℃］     −−       −−       −−       −−       −−
【００４６】
温度測定
上部［℃］     701.7     716.0     712.3     714.2     709.0
底部［℃］     713.9     723.8     720.6     722.5     719.3
【００４７】
加熱出力       Ｂａ       Ｂｂ       Ｂｃ       Ｂｄ       Ｂｅ
上部［ｋＷ］    ２９．９   １１．１   ６．３     ７．８     １３．７
底部［ｋＷ］    ２９．９   １１．１   ６．４     ７．８     １３．８
【００４８】
前記原理は図１中のいずれの列についても用いることができ、あるいは実施例１の基礎を成す原理と組み合わることが可能である。
【００４９】
図２及び３のヒーターフィードバックループは従来方法によって作製される。制御装置には典型例として加熱出力の計算を行うマイクロプロセッサが備えられる。
【００５０】
前記２つの実施例において、ヒーターフィードバックループの実数値は別個の実数値生成装置３、例えばローラー装備型ガラス焼きなまし炉中に静止状態で取り付けられる熱電対あるいは高温計を用いてそれぞれ設定される。
【００５１】
しかしながら、温度測定器具を静止装置として具現化せず、それに代えて、温度測定器具を送り方向に対して横方向へ移動するか、あるいは直線状に走査することができ、かつ各列において次々と局部温度を検出する高温計として具現化する構成も想到可能である。図４及び５には前記２つの実施例においてこのような構成によって検出された温度曲線が図示されている。
【００５２】
前記温度曲線の表示から高温計の後方に位置する求値回路によって平均値を算出することにより、図２及び３に従ったフィードバックループのための実数値が位置依存的方式で導き出される。
【００５３】
従って、図３に従った実施態様２では、３つの実数値、すなわち温度曲線６の位置ブロック７ａにおける加熱制御Ｂａへの実数値、位置ブロック７ｂにおける加熱制御Ｂｃへの実数値、及び位置ブロック７ｃにおける加熱制御Ｂｅへの実数値が図４の表示に従って決定される。
【００５４】
図２に従った実施態様１では、前記温度曲線の中央位置ブロック８における加熱制御のための単一実数値が図５に示された方式で同様に決定される。
【００５５】
測定実数値設定を用いて行う温度制御はすべての列において必ずしも実施される必要はなく、それに代えて、１列について測定される実数値及びそれら数値に基づいて算出される加熱出力から、送り方向にある前記１列の測定されたヒーターに続く列に位置する他のヒーターのための加熱出力が一定成分として算出かつ設定されるように、制御図を具現化することも可能である。従って、第二の実施態様（図３及び４）に従って測定された列３に続く列Ｄにあるヒーターのための全出力ＰＤ，ｓｕｍは下記相関式から算出される。
ＰＤｓｕｍ＝ｆＢ？Ｄ×（Ｐ１＋Ｐ３＋Ｐ５）
【００５６】
その結果、第一の実施態様（図２及び５）に従って測定された列Ｃについて算出される全出力ＰＤｓｕｍは下記相関式から求められる。
ＰＤ，ｓｕｍ＝ｆＣ？Ｄ×Ｐｓｕｍ，Ｃ
【００５７】
前記双方の例において、ファクターｆＢ？Ｄ及びｆＣ？Ｄは設定値である。
【００５８】
列Ｄについて算出される出力ＰＤ，ｓｕｍは図２に従って分割される。
【００５９】
ローラー装備型ガラス焼きなまし炉の熱領域においては、先に測定を行った列から１のみの列の制御量を数学的に導き出すことが有用なことが分かっている。冷領域においては、測定された列の結果をそれ以降のいくつかの列へ外挿することが可能である。
【図面の簡単な説明】
【００６０】
【図１】ローラー装備型ガラス焼きなまし炉中を矢印で示す方向へ搬送されるガラスリボンを、チェッカー盤状に配置され、かつ本発明に従って制御される加熱装置と共に示した略上面図である。
【図２】１列を成す加熱装置のすべてに用いる１個のみの制御装置が搬送方向に対して横方向に延びている、本発明に従った加熱制御の第一の実施態様によるブロック回路図に表した制御図である。
【図３】１列を成す加熱装置のすべてに用いる３個の制御装置が搬送方向に対して横方向に延びている、本発明に従った加熱制御の第二の実施態様によるブロック回路図に表した制御図である。
【図４】列に沿って移動あるいは走査される温度測定器具によって測定された搬送方向に対して横方向の列の上方における温度曲線グラフを示し、さらに図３に従った制御装置のための３つの実温度値を確認する図である。
【図５】図４に類似する、図２に従った制御装置のための１のみの実温度値を確認する図である。
【図１】
0005525679.tif 000002
【図２】
0005525679.tif 000003
【図３】
0005525679.tif 000004
【図４】
0005525679.tif 000005
【図５】
0005525679.tif 000006